(57)【特許請求の範囲】
【請求項１】
駆動部（３８）と、収納部（Ｓ２）とを有する本体（２０）と、
前記本体から着脱可能に設けられており、前記収納部に収納される水トレイ（４０）と、
前記水トレイ内に溜められている水の水位に応じて位置が変化する被検知体（７１）と、
前記被検知体からの距離に依拠して前記被検知体を検知する検知素子（７２）と、
前記水トレイ内の水の水位を判断する水位判断と、前記水トレイが前記収納部に収納されているか否かを判断する収納判断とを、前記検知素子の検知結果に基づいて行う判断部（６１）と、
前記判断部による前記収納判断に応じて、前記駆動部の駆動を制御する駆動制御部（６２）と、
を備え、
前記判断部は、
前記収納判断において、前記検知素子によって前記被検知体が第１所定時間以上検知されない場合には、前記水トレイが前記収納部に収納されていない非収納状態であると判断し、
前記水位判断において、前記収納判断で前記非収納状態であると判断してから前記第１所定時間よりも長い第２所定時間以上前記検知素子によって前記被検知体が検知されない場合には、前記水トレイ内の水の水位が所定水位未満である給水必要状態であると判断し、
前記駆動制御部は、
前記駆動部が駆動されている場合であって前記判断部による前記収納判断において収納状態でないと判断された場合には前記駆動部の駆動を停止する、
加湿器（１０）。
【請求項２】
前記駆動制御部は、
前記駆動部が駆動されている場合であって、前記判断部による前記収納判断において、前記非収納状態であると判断された場合には、前記駆動部の駆動を停止する、
請求項１に記載の加湿器。
【請求項３】
前記判断部による前記水位判断において前記給水必要状態であると判断された場合に、前記水トレイへの給水が必要であることを外部に報知する報知部（９０）を更に備える、
請求項１又は２に記載の加湿器。
【請求項４】
前記検知素子は、リードスイッチであり、
前記被検知体は、磁石であり、
前記水トレイは、前記磁石が取り付けられており、前記水トレイの水位に応じて上下するフロート（４５）を有する、
請求項１から３のいずれか１項に記載の加湿器。
【請求項５】
前記判断部は、前記水位判断時に前記水トレイ内の水面が変動しないように、前記収納判断をした後に前記水位判断を行う、
請求項１から４のいずれか１項に記載の加湿器。
【発明の詳細な説明】
【技術分野】
【０００１】
本発明は、加湿器に関する。
【背景技術】
【０００２】
従来より、水トレイに溜められた水を利用して、室内の加湿を行う加湿器がある。例えば、特許文献１（特開２００３−９７８２９号公報）に開示されている加湿器では、水槽部（水トレイに相当）に着脱可能な給水タンクから水槽部に水が供給され、水槽部内の水に浸された気化フィルターを空気が通過することで加湿空気が生成され、生成された加湿空気が室内に放出されている。
【発明の概要】
【発明が解決しようとする課題】
【０００３】
ところで、加湿器には、水トレイの清掃等を行うために、水トレイを加湿器の本体から着脱可能なものがある。このような加湿器の場合、水トレイが本体に収納されていない時に加湿器が稼働すると安全性に問題があるため、水トレイが本体に収納されているか否かを判断するための手段が必要となる。このように、水トレイを本体から着脱可能な加湿器において、安全性を確保しようとすると、水トレイを本体から着脱できない加湿器と比較して、コストが増加してしまう。
【０００４】
そこで、本発明の課題は、本体から着脱可能な水トレイを備えていても、コストの増加を抑え、かつ、安全性を確保することができる加湿器を提供することにある。
【課題を解決するための手段】
【０００５】
本発明の第１観点に係る加湿器は、本体と、水トレイと、被検知体と、検知素子と、判断部と、駆動制御部と、を備える。本体は、駆動部と、収納部とを有する。水トレイは、本体から着脱可能に設けられている。また、水トレイは、収納部に収納される。被検知体は、水トレイ内に溜められている水の水位に応じて位置が変化する。検知素子は、被検知体からの距離に依拠して被検知体を検知する。判断部は、水位判断と収納判断とを、検知素子の検知結果に基づいて行う。水位判断では、水トレイ内の水の水位が判断される。収納判断では、水トレイが収納部に収納されているか否かが判断される。駆動制御部は、判断部による収納判断に応じて、駆動部の駆動を制御する。判断部は、収納判断において、検知素子によって被検知体が第１所定時間以上検知されない場合には、非収納状態であると判断する。非収納状態とは、水トレイが収納部に収納されていない状態のことである。また、判断部は、水位判断において、収納判断で非収納状態であると判断してから第２所定時間以上検知素子によって被検知体が検知されない場合には、給水必要状態であると判断する。給水必要状態とは、水トレイ内の水の水位が、所定水位未満である状態のことである。また、第２所定時間は、第１所定時間よりも長い。また、駆動制御部は、駆動部が駆動されている場合であって判断部による収納判断において収納状態でないと判断された場合には駆動部の駆動を停止する。
【０００６】
本発明の第１観点に係る加湿器では、検知素子の検知結果に基づいて、水トレイの水位判断及び水トレイの収納判断が行われる。この結果、例えば、水位判断と収納判断とが別の検知素子の検知結果に基づいて行われる場合と比較して、コストの増加を抑えることができる。また、収納判断に応じて駆動部の駆動が制御されるため、例えば、水トレイが本体に収納されているときのみ駆動部を駆動させることができる。
【０００７】
これによって、本体から着脱可能な水トレイを備えていても、コストの増加を抑え、かつ、安全性を確保することができる。
【０００８】
なお、収納状態とは、水トレイが収納部に収納されている状態のことである。
【０００９】
また、この加湿器では、検知素子によって被検知体が第１所定時間以上検知されない場合には非収納状態であると判断され、水位判断において収納判断で非収納状態であると判断してから第２所定時間以上検知素子によって被検知体が検知されない場合には給水必要状態であると判断される。このため、この加湿器では、非収納状態であること、及び、給水必要状態であることを判断することができる。
【００１０】
本発明の第２観点に係る加湿器は、第１観点の加湿器において、駆動制御部は、駆動部が駆動されている場合であって、判断部による収納判断において非収納状態であると判断された場合には、駆動部の駆動を停止する。このため、例えば、駆動部が駆動されている時に水トレイが本体の収納部から取り出されても、駆動部の駆動が停止されるため、ユーザが駆動している駆動部に接触することで怪我をするおそれを低減することができる。これにより、安全性を確保することができる。
【００１１】
本発明の第３観点に係る加湿器は、第１観点又は第２観点の加湿器において、報知部を更に備える。報知部は、判断部による水位判断において、給水必要状態であると判断された場合に、水トレイへの給水が必要であることを外部に報知する。このため、この加湿器では、給水が必要であることを報知することができる。
【００１２】
本発明の第４観点に係る加湿器は、第１観点から第３観点のいずれかの加湿器において、検知素子は、リードスイッチである。また、被検知体は、磁石である。さらに、水トレイは、フロートを有する。フロートには、被検知体である磁石が取り付けられており、水トレイの水位に応じて上下する。このため、この加湿器では、容易な構成によって、水位判断及び収納判断を行うことができる。
【００１３】
これによって、加湿器の構成が煩雑にならないようにすることができる。
【００１４】
本発明の第５観点に係る加湿器は、第１観点から第４観点のいずれかの加湿器において、判断部は、水位判断時に水トレイ内の水面が変動しないように、収納判断をした後に水位判断を行う。
【発明の効果】
【００１５】
本発明の第１観点に係る加湿器では、本体から着脱可能な水トレイを備えていても、コストの増加を抑え、かつ、安全性を確保することができる。
【００１６】
本発明の第２観点に係る加湿器では、駆動部が駆動されている時に水トレイが本体の収納部から取り出されても、安全性を確保することができる。
【００１７】
本発明の第３観点に係る加湿器では、給水が必要であることを報知することができる。
【００１８】
本発明の第４観点に係る加湿器では、構成が煩雑にならないようにすることができる。
【００１９】
本発明の第５観点に係る加湿器では、判断部は、水位判断時に水トレイ内の水面が変動しないように収納判断をした後に水位判断を行う。
【図面の簡単な説明】
【００２０】
【図１】本発明の一実施形態に係る空気清浄機の外観斜視図。
【図２】本発明の一実施形態に係る空気清浄機の外観斜視図。
【図３】ケーシング内部を説明するための空気清浄機の斜視図。
【図４】水トレイの本体への収納状態を説明するための斜視図。
【図５】水トレイの本体への収納状態を説明するための斜視図。
【図６】加湿ユニットの正面図（水タンク及びロータ駆動部は省略）。
【図７】水トレイにおける水位の検知を説明するための空気清浄機の断面図。
【図８】水トレイが本体に収納されている時の検知部の状態を説明するための断面図。
【図９】水トレイが本体に収納されていない時の検知部の状態を説明するための断面図。
【図１０】空気清浄機の備える制御部の制御ブロック図。
【図１１】加湿運転開始時における判断部による収納判断及び水位判断の流れを示すフローチャート。
【図１２】加湿運転中の判断部による収納判断及び水位判断の流れを示すフローチャート。
【発明を実施するための形態】
【００２１】
以下、本発明が適用される加湿器の一例として、加湿機能を持つ空気清浄機１０について説明する。なお、本発明は、空気清浄機能を必須の構成要素とするものではなく、空気清浄機能のない加湿器にも適用することができるものである。
【００２２】
（１）空気清浄機の構成
本発明の一実施形態に係る空気清浄機１０の全体構成の概要を図１及び図２に示す。図１は、空気清浄機１０の背面に向かって左上方から見た斜視図である。図２は、図１の空気清浄機１０において、水タンク３１が取り外される様子を示す図である。この空気清浄機１０は、加湿機能及び空気清浄機能を有しており、加湿運転時には加湿装置として、空気清浄運転時には空気清浄装置として機能する。
【００２３】
また、空気清浄機１０の上部には、操作パネル８０が設けられている。操作パネル８０には、空気清浄機１０の運転のオン・オフ等を操作するスイッチが設けられている。なお、本実施形態では、加湿を行わずに空気清浄のみを行う運転モードと、空気清浄と同時に加湿を行う運転モードとが用意されており、ユーザが操作パネル８０のスイッチを操作することで、空気清浄機１０の運転モードの切換が行われる。
【００２４】
さらに、空気清浄機１０は、本体２０と、必要に応じて本体２０から取り外すことが可能な水タンク３１及び水トレイ４０と、検知部７０と、制御部６０と、を備えている。この空気清浄機１０は、本体２０の所定位置に水タンク３１及び水トレイ４０が収納されることで、図１に示すように、一体性のあるコンパクトな構成となっている。また、本体２０は、主に、ケーシング２１、空気清浄ユニット２５、送風機２６、及び、加湿ユニット３０のロータ駆動部３８を有している。以下に、空気清浄機１０を構成する各部材について説明する。
【００２５】
（２）詳細構成
（２−１）ケーシング
ケーシング２１は、本体２０の外郭を構成している。また、ケーシング２１には、本体２０の有する各構成部材、検知部７０の検知素子７２及び制御部６０が収納されている。さらに、ケーシング２１は、後述するファンケーシング２７と共に、タンク用収納部Ｓ１と、トレイ用収納部Ｓ２とを構成している。タンク用収納部Ｓ１は、本体２０から着脱可能な水タンク３１を収納するための空間である。トレイ用収納部Ｓ２は、本体２０から着脱可能な引き出し式の水トレイ４０を収納するための空間である。
【００２６】
また、ケーシング２１には、図１に示すように、室内空気を空気清浄機１０内に取り込むための吸い込み口２１ａと、空気清浄機１０内の空気を外部（室内）に吹き出すための吹き出し口２１ｂが形成されている。また、吸い込み口２１ａは、前方下方の吸い込み口２１ａａと、側方の吸い込み口２１ａｂとを含む。
【００２７】
さらに、ケーシング２１には、図１に示すように、水タンク３１への給水が必要である旨をユーザに報知するための報知部９０が設けられている。報知部９０は、例えば、ＬＥＤから構成されている。
【００２８】
（２−２）空気清浄ユニット
空気清浄ユニット２５は、主として、プレフィルタと、ＨＥＰＡ（Ｈｉｇｈ  Ｅｆｆｉｃｉｅｎｃｙ  Ｐａｒｔｉｃｕｌａｔｅ  Ａｉｒ）フィルタと、脱臭エレメントと、を有している。また、これらは、空気の流れ方向に、プレフィルタ、ＨＥＰＡフィルタ、脱臭エレメントの順に並んで配置されている。これにより、空気清浄ユニット２５では、まず、プレフィルタによって大きな塵埃が取り除かれる。次に、ＨＥＰＡフィルタによって、さらに微細な塵埃が取り除かれる。さらに、ＨＥＰＡフィルタを通過した空気は、活性炭などを含む脱臭エレメントによって、ホルムアルデヒドや臭い成分等が分解されたり吸着されたりする。
【００２９】
（２−３）送風機
図３は、図１から、ケーシング２１（操作パネル８０を除く）と、水タンク３１と、空気清浄ユニット２５とを取り除いた状態の空気清浄機１０を示している。図４及び図５は、図３から、更に、加湿ロータ５０と操作パネル８０とを取り除いた状態の空気清浄機１０を示している。なお、図４は、本体２０に水トレイ４０が収納されている時の水トレイ４０とファンケーシング２７との位置関係を示している。また、図５は、本体２０に水トレイ４０が収納されていない時、すなわち、本体２０から水トレイ４０が引き出された時の水トレイ４０とファンケーシング２７との位置関係を示している。
【００３０】
送風機２６は、ファンケーシング２７と、送風機駆動モータ２９（図１０参照）により駆動されるファン２８とを備えるシロッコファンであって、吸い込み口２１ａから吹き出し口２１ｂに至る空気の流れを生成する（図３、図４及び図５参照）。例えば、空気清浄機１０が加湿運転を行っている場合には、吸い込み口２１ａから吸い込まれた室内空気は、空気清浄ユニット２５で塵埃や臭い成分等が取り除かれた後に加湿ユニット３０で加湿され、加湿された清浄な空気が、送風機２６から吹き出し口２１ｂを介して室内に吹き出される。なお、送風機駆動モータ２９の駆動は、後述する制御部６０によって制御される。
【００３１】
（２−４）加湿ユニット
加湿ユニット３０は、主として、水タンク３１と、水トレイ４０と、加湿ロータ５０と、ロータ駆動部３８と、を備えている。また、加湿ロータ５０は水トレイ４０の所定位置に配置されているため、水トレイ４０が本体２０から引き出されると、加湿ロータ５０も同様に、本体２０から引き出されることになる。
【００３２】
（２−４−１）水タンク
水タンク３１は、本体２０から着脱可能であり（図１及び図２参照）、本体２０に装着される場合には本体２０のタンク用収納部Ｓ１に収納される。また、水タンク３１の下部には注水口（図示せず）が設けられており、水トレイ４０内の水位の減少により、水タンク３１内の水が注水口を介して水トレイ４０内に流出する。
【００３３】
（２−４−２）水トレイ
図６は、空気清浄機１０を正面から見た時の加湿ユニット３０の正面図であって、加湿ユニット３０から水タンク３１及びロータ駆動部３８を省略した図である。図７（ａ）は、水トレイ４０が本体２０に収納されている時の空気清浄機１０の部分縦断面図であって、水トレイ４０の備えるフロート４５が水に浮いている状態、すなわち、水トレイ４０内の水が不足していない時のフロート４５の状態を示す図である。図７（ｂ）は、水トレイ４０が本体２０に収納されている時の空気清浄機１０の部分縦断面図であって、水トレイ４０内の水が不足している時のフロート４５の状態を示す図である。
【００３４】
水トレイ４０は、空気清浄ユニット２５を通過する空気に供給する水分を貯留する。なお、水トレイ４０内に貯留される水の供給源は、上述の水タンク３１である。
【００３５】
水トレイ４０は、図４、図５、図６及び図７に示すように、水受け部４１と、ロータ浸漬部４２と、仕切壁４３と、軸受部４４と、フロート４５と、を備えている。
【００３６】
水受け部４１は、水タンク３１の下に配置されている。ロータ浸漬部４２は、加湿ロータ５０の下部に配置されており、ロータ浸漬部４２内に溜められている水が後述する限界水位以上である場合には、加湿ロータ５０の下部がロータ浸漬部４２内の水に浸漬される。また、水受け部４１とロータ浸漬部４２とは、水トレイ４０に貯留される水を仕切る仕切壁４３で仕切られている。仕切壁４３の下部には、水受け部４１からロータ浸漬部４２に通じる開口（図示せず）が設けられており、水タンク３１から水受け部４１に供給された水が、開口を介してロータ浸漬部４２に供給される。これにより、水受け部４１の水位とロータ浸漬部４２との水位とは、略同一となる。
【００３７】
軸受部４４は、ロータ浸漬部４２の側壁から上方に延びており、加湿ロータ５０の回転軸５０ａを受けるように設けられている。
【００３８】
フロート４５は、水トレイ４０の水受け部４１内に配置されており、水受け部４１内に溜められた水に浮くことができる。また、フロート４５は、一方の端部４５ａが水受け部４１内に支持軸４６で回動可能に支持されており、水受け部４１内に溜められた水の水位に応じて、支持軸４６を中心に回動する。このため、フロート４５において、支持軸４６で支持されている端部４５ａとは反対側の端部４５ｂが、水受け部４１内に溜められた水の水位に応じて、上下方向に移動することとなる（図７参照）。
【００３９】
（２−４−３）加湿ロータ
加湿ロータ５０は、水トレイ４０から供給される水を空気中通過する空気に供給する機能を有する。これにより、吸い込み口２１ａから吸い込まれ、空気清浄ユニット２５で清浄された空気が加湿ロータ５０を通過することによって、室内に加湿された清浄な空気を供給することができる。本実施形態では、脱臭エレメントを通過した空気が加湿ロータ５０を通過する際に、加湿ロータ５０から空気中に水分が放出されることで、空気が加湿されている。
【００４０】
また、加湿ロータ５０は、その中心部に位置する回転軸５０ａを介して、軸受部４４に着脱可能かつ回転可能に支持されている。なお、本実施形態では、空気清浄機１０において加湿運転が行われている場合にのみ、加湿ロータ５０が回転される。すなわち、空気清浄機１０において空気清浄運転が行われている場合には、加湿ロータ５０の回転は停止しており、加湿ロータ５０に水トレイ４０から水が供給されなくなる。このため、加湿ロータ５０の回転停止後には、加湿ロータ５０が吸着していた水が空気中に放出されて加湿ロータ５０が乾燥すると、加湿ロータ５０から空気中に水が放出されなくなる。
【００４１】
加湿ロータ５０は、図６に示すように、気化フィルタ５１と、フレーム５２とを備えており、回転することによって水トレイ４０内に溜められている水を汲み上げることができる。
【００４２】
フレーム５２は、円形状の枠体５３と、複数の水供給部５４を有している。枠体５３には、水供給部５４が設けられている位置と一致する位置に、開口（図示せず）が設けられている。水供給部５４は、枠体５３の外縁部に設けられている。また、複数の水供給部５４は、それぞれ、枠体５３の外縁部に等間隔に配置されている。さらに、水供給部５４は、内部に水を溜めることが可能なように凹状に形成されており、加湿ロータ５０の回転により、それぞれの水供給部５４が順次水トレイ４０内に浸水した後上昇し、また、浸水するといった動作を繰り返すことになる。水供給部５４が浸水することで水供給部５４内に水が流入し、水供給部５４が上昇することで水供給部５４内に溜まった水が、枠体５３に形成されている開口を介して気化フィルタ５１に向かって流れる。これにより、気化フィルタ５１に水が供給される。
【００４３】
気化フィルタ５１は、円形状のハニカム構造体であり、水供給部５４によって供給される水を吸着する。また、気化フィルタ５１の外側には、フレーム５２に設けられている回転軸５０ａが気化フィルタ５１の中心部に位置するように、フレーム５２が配置されている。なお、加湿ロータ５０の回転軸５０ａが軸受部４４に支持されている状態で、気化フィルタ５１の最下部は水トレイ４０内の水の満水位置よりも上方に位置している。このように、気化フィルタ５１は、水トレイ４０内に浸水しないように設計されている。
【００４４】
（２−４−４）ロータ駆動部
ロータ駆動部３８は、ロータ駆動モータ３２と駆動ギア（図示せず）とを有しており、上述のように、本体２０側に配置されている。具体的には、ロータ駆動モータ３２と駆動ギアとは、ファンケーシング２７の所定位置に固定されている。ロータ駆動モータ３２は、後述する制御部６０によって駆動制御される。また、駆動ギアは、ロータ駆動モータ３２の駆動によって、回転される。なお、駆動ギアは、水トレイ４０がケーシング２１のトレイ用収納部Ｓ２に収納されている状態で、駆動ギアの歯と枠体５３の外周に設けられているギアの歯５３ａ（図３参照）とが噛み合う位置に配置されている。このため、加湿ロータ５０は、ロータ駆動モータ３２の駆動によって駆動ギアが回転することで、回転軸５０ａを中心に回転するようになっている。
【００４５】
（２−５）検知部
図８は、空気清浄機１０の縦断面図であって、水トレイ４０が本体２０に収納されている時の検知素子７２と被検知体７１との位置関係を示している。図９は、空気清浄機１０の縦断面図であって、水トレイ４０が本体２０に収納されていない時の検知素子７２と被検知体７１との位置関係を示している。なお、図８及び図９では、水トレイ４０の収納状態と、検知素子７２及び被検知体７１の位置関係と、を説明しやすくするため、水トレイ４０と本体２０（ファンケーシング２７）との２箇所の断面を示している。
【００４６】
検知部７０は、図８及び図９に示すように、水トレイ４０の移動に伴って移動する被検知体７１と、本体２０の所定位置に固定されている検知素子７２とを有する。被検知体７１は、磁石であって、フロート４５の端部４５ｂに固定されている。これにより、本体２０に対する水トレイ４０の位置が変化することで、検知素子７２に対する被検知体７１の位置が変化するとともに、水トレイ４０内の水位が下がることによってフロート４５の端部４５ｂの位置が変化することで、検知素子７２に対する被検知体７１の位置が変化する。検知素子７２は、被検知体７１からの距離に依拠して被検知体７１の検知を行うリードスイッチであって、被検知体７１からの磁界の影響を受けてオン・オフする接点部（図示せず）を含む。また、検知素子７２は、本体２０において、本体２０のトレイ用収納部Ｓ２に水トレイ４０が収納された状態で、フロート４５が水に浮いた状態にある場合には被検知体７１を検知可能であり（図７（ａ）参照）、フロート４５の端部４５ｂが下がった状態にある場合には被検知体７１を検知できない位置（図７（ｂ）参照）に配置されている。さらに、検知素子７２は、本体２０において、水トレイ４０がトレイ用収納部Ｓ２に収納されていない状態である場合には、被検知体７１を検知できない位置に配置されるように設計されている（図９参照）。なお、図７、図８及び図９では、検知素子７２が、被検知体７１を検知可能な領域の境界部分を一点鎖線で示している。
【００４７】
このような構成によって、検知素子７２は、被検知体７１を検知可能な距離（領域内）に被検知体７１がある場合にはオン信号を制御部６０に送信し、被検知体７１を検知可能な距離（領域内）に被検知体７１がない場合にはオフ信号を制御部６０に送信する。
【００４８】
（２−６）制御部
制御部６０は、複数の電装品から構成されており、空気清浄運転や加湿運転が行われるように、空気清浄機１０の備える各種機器の動作を制御する。具体的には、制御部６０は、操作パネル８０を介して入力される制御信号に基づいて、送風機２６及び加湿ロータ５０の駆動を制御する。
【００４９】
また、制御部６０は、図１０に示すように、判断部６１と、駆動制御部６２と、を備えている。
【００５０】
判断部６１は、検知素子７２から送信されるオン・オフ信号に基づいて、収納判断及び水位判断を行う。収納判断では、水トレイ４０がトレイ用収納部Ｓ２に収納されているか否かが判断される。また、水位判断では、水トレイ４０内の水の水位が判断される。なお、判断部６１は、加湿運転開始指示を受信したときから収納判断を開始する。また、判断部６１は、加湿運転停止指示を受信するまで、あるいは、給水必要状態であると判断するまで収納判断及び水位判断を継続する。
【００５１】
判断部６１は、収納判断として、第１所定時間（例えば、２秒）以上継続して、検知素子７２からオン信号が送信されない場合、すなわち、第１所定時間（例えば、２秒）以上継続して、検知素子７２からオフ信号が送信される場合には、水トレイ４０がトレイ用収納部Ｓ２に収納されていない非収納状態である（すなわち、収納状態にない）と判断する。
【００５２】
一方、判断部６１は、収納判断として、第１所定時間（例えば、２秒）以上継続して検知素子７２からオフ信号が送信されない場合には、水トレイ４０がトレイ用収納部Ｓ２に収納されている収納状態であると判断する。
【００５３】
また、判断部６１は、水位判断として、収納判断において非収納状態であると判断してから第２所定時間（例えば、２０秒）が経過するまでの間、検知素子７２から継続してオフ信号が送信される場合には、水トレイ４０の状態が収納状態であるか非収納状態であるかにかかわらず、水トレイ４０内の水の水位が供給可能水位（所定水位に相当）未満である給水必要状態であると判断する。なお、供給可能水位には、水供給部５４が水トレイ４０内に溜められた水中に浸水することができる最低水位である限界水位と、限界水位以上の水位であるが水供給部５４が水トレイ４０内に溜められた水中に浸水することができない水位とが含まれる。そして、給水必要状態とは、水トレイ４０内の水の水位が供給可能水位未満であるために、水供給部５４が水トレイ４０内の水を気化フィルタ５１に供給できない状態のことである。
【００５４】
具体的には、給水必要状態には、水トレイ４０がトレイ用収納部Ｓ２に収納されているけれども水トレイ４０内の水の水位が限界水位未満である第１状態と、水トレイ４０がトレイ用収納部Ｓ２に収納されていない第２状態と、が含まれる。第１状態とは、加湿ロータ５０は駆動可能であるけれども、水供給部５４は、水トレイ４０内に溜められた水中に浸水することができないために、気化フィルタ５１に水を供給することができない状態のことである。また、第２状態とは、水トレイ４０内の水の水位が限界水位未満であるか否かにかかわらず、水トレイ４０がトレイ用収納部Ｓ２に収納されていないために加湿ロータ５０が駆動できず、水供給部５４が水トレイ４０内に溜められた水中に浸水することができないために、気化フィルタ５１に水を供給することができない状態のことである。すなわち、第２状態には、水トレイ４０内の水の水位が限界水位以上である場合（加湿ロータ５０の駆動により水供給部５４が気化フィルタ５１に水を供給することができるだけの水が水トレイ４０内に溜まっている場合）と、水トレイ４０内の水の水位が限界水位未満である場合（加湿ロータ５０の駆動により水供給部５４が気化フィルタ５１に水を供給することができるだけの水が水トレイ４０内に溜まっていない場合）とがある。
【００５５】
なお、第１所定時間は、０秒から３秒の範囲内（０＜第１所定時間≦３）であることが好ましい。また、第２所定時間は、第１所定時間よりも長いものとする。
【００５６】
駆動制御部６２は、空気清浄機１０において空気清浄運転や加湿運転が行われるように、送風機２６及び加湿ロータ５０の駆動を制御する。具体的には、駆動制御部６２は、送風機駆動モータ２９やロータ駆動モータ３２に制御信号を送信することで、送風機２６や加湿ロータ５０の駆動を制御する。
【００５７】
また、駆動制御部６２は、判断部６１による収納判断及び水位判断に基づいて、送風機駆動モータ２９及びロータ駆動モータ３２の駆動開始に関する制御信号を送信する。また、駆動制御部６２は、判断部６１による収納判断に基づいて、送風機駆動モータ２９及びロータ駆動モータ３２の駆動停止に関する制御信号を送信する。
【００５８】
さらに、駆動制御部６２は、判断部６１による水位判断に基づいて、報知部９０に報知に関する制御信号を送信する。報知部９０は、報知に関する制御信号を受信することで、ＬＥＤを点灯させる。
【００５９】
以下に、空気清浄機１０の運転が開始されてから報知部９０による報知が行われるまでの制御部６０の制御動作を、図１１及び図１２を用いて説明する。
【００６０】
（３）制御部による制御動作
ユーザが操作パネル８０を操作することで空気清浄機１０の運転が開始された場合、制御部６０は、受信した制御信号が、加湿運転開始信号であるか、あるいは、空気清浄運転開始信号であるかを判定する。そして、制御部６０は、受信した制御信号が加湿運転開始信号である場合には、判断部６１に加湿運転開始指示を送信する。なお、制御部６０は、空気清浄運転開始信号を受信した場合には、判断部６１に対して加湿運転開始指示を送信しない。このため、空気清浄機１０において空気清浄運転が行われる場合には、判断部６１による水位判断や収納判断等は行われない。
【００６１】
判断部６１は、加湿運転開始指示を受信した場合（ステップＳ１）、まず、収納判断を行う（ステップＳ２及びステップＳ３）。具体的には、判断部６１は、加湿運転開始指示を受信した時に検知素子７２からオン信号を受信した場合（ステップＳ２）には、収納状態であると判断する。また、判断部６１は、加湿運転開始指示を受信してから第１所定時間が経過するまでの間に検知素子７２からオン信号を受信した場合、すなわち、加湿運転開始指示を受信してから第１所定時間が経過するまでの間検知素子７２からオフ信号を継続して受信しなかった場合（ステップＳ３）には、収納状態であると判断する。
【００６２】
一方、判断部６１は、ステップＳ３において、加湿運転開始指示を受信してから第１所定時間が経過するまでの間継続して検知素子７２からオフ信号を受信した場合には、非収納状態であると判断する。そして、判断部６１は、非収納状態であると判断した場合には、続いて水位判断を行う（ステップＳ４）。具体的には、判断部６１は、ステップＳ３において、非収納状態であると判断した時から第２所定時間が経過するまでの間継続して検知素子７２からオフ信号を受信した場合には、給水必要状態であると判断して駆動制御部６２に報知指令を送信する（ステップＳ５）。駆動制御部６２は、報知指令を受信することで、報知部９０のＬＥＤが点灯するように、報知部９０に報知に関する制御信号を送信する。他方、判断部６１は、ステップＳ４において、非収納状態であると判断した時から第２所定時間が経過するまでの間に、検知素子７２からオン信号を受信した場合には、給水必要状態にないと判断して駆動制御部６２に報知指令を送信しない。
【００６３】
そして、判断部６１は、収納状態であると判断した場合、及び、非収納状態であると判断した後に駆動制御部６２に報知指令を送信しなかった場合すなわち非収納状態であると判断した後に給水必要状態にないと判断した場合には、駆動制御部６２に駆動開始指令を送信する（ステップＳ６）。駆動制御部６２は、駆動開始指令を受信することで、送風機２６及び加湿ロータ５０の駆動が開始するように、送風機駆動モータ２９及びロータ駆動モータ３２に駆動開始に関する制御信号を送信する。
【００６４】
また、判断部６１は、ステップＳ６において、駆動制御部６２に駆動開始指令を送信した後も、収納判断（ステップＳ７及びステップＳ８）及び水位判断（ステップＳ１０）を継続して行う。まず、判断部６１は、駆動制御部６２に駆動開始指令を送信した時に検知素子７２からオン信号を受信した場合（ステップＳ７）には、収納状態であると判断する。また、判断部６１は、駆動制御部６２に駆動開始指令を送信した時から第１所定時間が経過するまでの間に検知素子７２からオン信号を受信した場合、すなわち、加湿運転開始指示を受信してから第１所定時間が経過するまでの間検知素子７２からオフ信号を継続して受信しなかった場合（ステップＳ８）には、収納状態であると判断する。
【００６５】
一方、判断部６１は、ステップＳ８において、駆動制御部６２に駆動開始指令を送信した時から第１所定時間が経過するまでの間継続して検知素子７２からオフ信号を受信した場合には、非収納状態であると判断する。判断部６１は、ステップＳ８において非収納状態であると判断した場合、駆動制御部６２に駆動停止指令を送信する（ステップＳ９）。駆動制御部６２は、駆動停止指令を受信することで、送風機２６及び加湿ロータ５０の駆動が停止するように、送風機駆動モータ２９及びロータ駆動モータ３２に駆動停止に関する制御信号を送信する。これにより、駆動していた送風機２６及び加湿ロータ５０の駆動が停止する。
【００６６】
そして、判断部６１は、ステップＳ８において非収納状態であると判断した時から第２所定時間が経過するまでの間継続して検知素子７２からオフ信号を受信した場合（ステップＳ１０）には、給水必要状態であると判断し、駆動制御部６２に報知指令を送信する（ステップＳ１１）。駆動制御部６２は、報知指令を受信することで、報知部９０のＬＥＤが点灯するように、報知部９０に報知に関する制御信号を送信する。これにより、送風機２６及び加湿ロータ５０の駆動が停止した状態で、報知部９０から外部に報知が行われることになる。
【００６７】
また、判断部６１は、ステップＳ８において非収納状態であると判断した時から第２所定時間が経過するまでの間に、検知素子７２からオン信号を受信した場合（ステップＳ１０）には、給水必要状態でないと判断し、駆動制御部６２に、報知指令を送信せずに、駆動開始指令を送信する（ステップＳ６）。駆動制御部６２は、駆動開始指令を受信することで、送風機２６及び加湿ロータ５０の駆動が開始するように、送風機駆動モータ２９及びロータ駆動モータ３２に駆動開始に関する制御信号を送信する。これにより、停止された送風機２６及び加湿ロータ５０の駆動が、再開される。
【００６８】
（４）特徴
（４−１）
本実施形態では、判断部６１が、検知素子７２から送信されるオン・オフ信号に基づいて、収納判断及び水位判断を行う。このため、例えば、水位判断と収納判断とが別の検知素子の検知結果に基づいて行われる場合と比較して、コストの増加を抑えることができる。
【００６９】
また、本実施形態では、駆動制御部６２が、判断部６１による収納判断に基づいて、送風機駆動モータ２９及びロータ駆動モータ３２の駆動停止に関する制御信号を送信する。具体的には、判断部６１によって、駆動開始指令が送信された後に、非収納状態であると判断された場合に、判断部６１から駆動制御部６２に駆動停止指令が送信される。そして、駆動制御部６２は、駆動停止指令を受信することで、送風機２６及び加湿ロータ５０の駆動が停止するように、送風機駆動モータ２９及びロータ駆動モータ３２に駆動停止に関する制御信号を送信する。このため、水トレイ４０が非収納状態である場合には送風機駆動モータ２９及びロータ駆動モータ３２が駆動されないため、例えば、加湿ロータ５０が駆動されている時に、水トレイ４０が本体２０から取り出されても、ユーザがギア等に触れて怪我をすることを防止できる。
【００７０】
これによって、本体２０から着脱可能な水トレイ４０を備えていても、コストの増加を抑え、かつ、安全性を確保することができている。
【００７１】
さらに、例えば、収納判断を行うリードスイッチ等の検知部が空気清浄機１０の空気流路内に設けられる場合には空気のバイパス経路が形成されることがあるが、本実施形態では収納判断を行うための検知素子７２が空気流路外に設けられているため、空気のバイパス経路が形成されないようにすることができる。これにより、空気清浄機１０の集塵性能を高めることができる。
【００７２】
（４−２）
本実施形態では、判断部６１によって給水必要状態であると判断された場合には、報知部９０による外部への報知が行われる。ここで、給水必要状態には、水トレイ４０が本体２０に収納されているけれども、水トレイ４０内の水の水位が限界水位未満であるために、気化フィルタ５１に水が供給されない第１状態と、水トレイ４０が本体２０に収納されていないために加湿ロータ５０が回転駆動しないことで、気化フィルタ５１に水が供給されない第２状態とが含まれる。このため、水トレイ４０内の水が不足しているため水タンク３１への水の供給が必要であることを外部に報知することができるのに加えて、水トレイ４０が本体２０に収納されていないことを外部に報知することができる。
【００７３】
また、本実施形態では、収納判断が行われた後に水位判断が行われている。また、収納判断において非収納状態であると判断された場合、ロータ駆動モータ３２の駆動が停止され、その後、水位判断が行われる。この結果、水位判断時に、水トレイ４０内の水面を変動しにくくすることができる。これにより、検知素子７２による誤検知を減らすことができるため、正確な水位判断を行うことができる。
【００７４】
さらに、本実施形態では、判断部６１が、給水必要状態にないと判断した場合には、駆動制御部６２に駆動開始指令を送信している。このため、例えば、加湿運転開始時には水トレイ４０が本体２０に収納されていなかったけれども、水位判断が行われている間にユーザによって水トレイ４０が本体２０に収納された場合や、加湿運転中に水トレイ４０が本体２０から引き出されてロータ駆動モータ３２等の駆動が停止された後、水位判断が行われている間にユーザによって水トレイ４０が本体２０に収納された場合には、自動的に加湿ロータ５０等の駆動が開始される。これにより、給水必要状態にないと判断された場合には、自動的に加湿運転を開始することができる。
【００７５】
（５）変形例
（５−１）変形例Ａ
上記実施形態では、加湿運転時における送風機駆動モータ２９及びロータ駆動モータ３２の駆動開始あるいは駆動停止のタイミングが同じであるが、送風機駆動モータ２９及びロータ駆動モータ３２の駆動開始あるいは駆動停止のタイミングが異なっていてもよい。
【００７６】
例えば、判断部６１による収納判断及び水位判断に基づいてロータ駆動モータ３２の駆動開始及び駆動停止が制御され、送風機駆動モータ２９の駆動（駆動開始及び駆動停止）は、判断部６１の判断とは関係なくユーザによる操作パネル８０の操作（運転開始及び運転停止）によってのみ制御されてもよい。
【００７７】
（５−２）変形例Ｂ
上記実施形態では、報知部９０として、ＬＥＤが点灯されることで、給水必要状態であることが外部に報知されているが、外部に報知するための手段はＬＥＤに限定されない。例えば、ブザー等が鳴ることで、給水必要状態であることが外部に報知されてもよい。
【産業上の利用可能性】
【００７８】
本発明は、コストの増加を抑え、かつ、安全性を確保することができる加湿器に関する発明であるため、本体から着脱可能な水トレイを備える加湿器への適用が有効である。
【符号の説明】
【００７９】
１０      空気清浄機（加湿器）
２０      本体
３８      ロータ駆動部（駆動部）
４０      水トレイ
６１      判断部
６２      駆動制御部
７１      被検知体
７２      検知素子
９０      報知部
【先行技術文献】
【特許文献】
【００８０】
【特許文献１】特開２００３−９７８２９号公報
【図１】
0005533394.tif 000002
【図２】
0005533394.tif 000003
【図３】
0005533394.tif 000004
【図４】
0005533394.tif 000005
【図５】
0005533394.tif 000006
【図６】
0005533394.tif 000007
【図７】
0005533394.tif 000008
【図８】
0005533394.tif 000009
【図９】
0005533394.tif 000010
【図１０】
0005533394.tif 000011
【図１１】
0005533394.tif 000012
【図１２】
0005533394.tif 000013